(57)【要約】【課題】映像出力装置において、ユーザの視聴状態が正視状態であるか否かを容易に確認できるようにする。【解決手段】ユーザによってレッドグリーンテスト画面の表示が指示されると、ＴＶ受像機は、レッドグリーンテスト映像データを読み出して、映像信号処理回路を用いて、液晶表示装置１４にレッドグリーンテスト画面Ａの映像を表示させる。レッドグリーンテスト画面Ａは、背景が赤色に表示されたレッド画面Ｒと、背景が緑色に表示されたグリーン画面Ｇとを含む画面である。レッドグリーンテスト画面Ａの赤色の濃さと、緑色の濃さとが同じに見える場合、ユーザの視聴状態は、目に負担のかからない状態（正視状態）である。レッドグリーンテスト画面Ａの赤色の濃さと緑色の濃さとが同じに見えない（正視状態ではない）場合、ユーザは、眼鏡やコンタクトを着用したり、視聴位置を移動したりすることによって、濃さが同じに見えるようにする。【選択図】図３
2013247527.tif 000002
【特許請求の範囲】
【請求項１】
映像を出力する映像出力手段と、
ユーザが正視状態であるか否かを確認するためのレッドグリーンテストの映像、視野チェックの映像、又は乱視表の映像を、前記映像出力手段に出力させるように制御する出力制御手段とを備えることを特徴とする映像出力装置。
【請求項２】
ユーザによって操作され、前記映像出力手段から出力される前記レッドグリーンテストの映像の色を調整するための色調整操作手段をさらに備えることを特徴とする請求項１に記載の映像出力装置。
【請求項３】
前記映像出力手段によって出力された映像のユーザによる視聴時間を算出する算出手段をさらに備え、
前記出力制御手段は、前記算出手段によって算出された視聴時間が所定の時間を超えたときに、前記レッドグリーンテストの映像、前記視野チェックの映像、又は前記乱視表の映像を、前記映像出力手段に出力させるように制御することを特徴とする請求項１又は２に記載の映像出力装置。
【請求項４】
前記映像出力手段によって出力された映像を視聴しているユーザの位置を検出する位置検出手段をさらに備え、
前記出力制御手段は、前記位置検出手段によって検出されたユーザの位置が、前回検出したユーザの位置と異なる場合に、前記レッドグリーンテストの映像、前記視野チェックの映像、又は前記乱視表の映像を、前記映像出力手段に出力させるように制御することを特徴とする請求項１乃至３の少なくともいずれか一項に記載の映像出力装置。
【請求項５】
前記映像出力手段によって出力された映像を視聴しているユーザと、該映像出力手段によって出力された映像を表示する映像表示機器との距離を検出する距離検出手段をさらに備え、
前記出力制御手段は、前記距離検出手段によって検出された距離に応じた大きさの前記レッドグリーンテストの映像、前記視野チェックの映像、又は前記乱視表の映像を、前記映像出力手段に出力させるように制御することを特徴とする請求項１乃至４の少なくともいずれか一項に記載の映像出力装置。
【発明の詳細な説明】
【技術分野】
【０００１】
本発明は、映像を出力する映像出力装置に関する。
【背景技術】
【０００２】
近年、ユーザが、テレビジョン（以下、ＴＶという）受像機やパソコンのディスプレイ等の映像表示機器を視聴する時間が増加している。このような状況の下、ユーザは、映像がぼやける等の目に負担のかかる視聴状態で映像を見続けることがある。その場合、眼精疲労からくる肩こりや頭痛を引き起こすことや、視力の低下を引き起こすことがある。しかしながら、目に負担のかからない状態（以下、正視状態という）で、映像を視聴しているか否かを確認することは、ユーザにとって容易ではない。
【先行技術文献】
【特許文献】
【０００３】
【特許文献１】実開平３−７３０８０号公報
【特許文献２】特開２００５−１０７９８１号公報
【特許文献３】特開２００９−１７１５４４号公報
【特許文献４】登録実用新案第３１６９３４２号公報
【発明の概要】
【発明が解決しようとする課題】
【０００４】
上記問題に対して、特許文献１には、アイトレーニング用画面および検眼（視力検査）用画面と音声メッセージがプログラムメモリされたＲＯＭを装備し、アイトレーニング及び視力検査を行うことにより、ユーザが自己の目の状況を知り、その管理を行うＴＶ受像機が開示されている。しかしながら、このＴＶ受像機では、ユーザが正視状態で映像を視聴しているか否かを確認することができないため、上記問題を解決できない。
【０００５】
また、特許文献２には、利用者が表示画面を注視しているものと判定された状態が継続している時間、及び／又は注視していないものと判定された状態が継続している時間を計時する計時手段と、計時された時間に応じて所定の情報を出力する情報出力手段とを備え、モニタ画面を長時間見続けることによって体調不良が引き起こされることを防止する情報処理装置が開示されている。しかしながら、この情報処理装置では、ユーザが正視状態で映像を視聴しているか否かを確認することができないため、上記問題を解決できない。
【０００６】
また、特許文献３には、生体信号検出手段を備え、装置の出力の操作および使用者の反応の分析および生体信号の解析による生理学的状態(聴力、視力、器用さ、記憶力、呼気分析、体動・振動など)を測定する検出システムが開示されている。しかしながら、この検出システムでは、ユーザが正視状態で映像を視聴しているか否かを確認することができないため、上記問題を解決できない。
【０００７】
また、特許文献４には、観覧時間警告機能を開始後、制御ユニットが現在の観覧時間をカウントし、設定した健康観覧時間と比較し、現在の観覧時間が健康観覧時間に達する時、使用者の観覧時間が長過ぎる旨の警告画面を表示すると共に、スピーカユニットが警告音を発するよう制御し、使用者に休息又は眼の運動を行うよう警告する近視予防警告機能を有するディスプレイが開示されている。しかしながら、このディスプレイでは、ユーザが正視状態で映像を視聴しているか否かを確認できないため、上記問題を解決できない。
【０００８】
本発明は、上述した問題点を解決するためになされたものであり、ユーザの視聴状態が正視状態であるか否かを容易に確認可能な映像出力装置を提供することを目的とする。
【課題を解決するための手段】
【０００９】
上記目的を達成するために請求項１の発明は、映像を出力する映像出力手段と、ユーザが正視状態であるか否かを確認するためのレッドグリーンテストの映像、視野チェックの映像、又は乱視表の映像を、前記映像出力手段に出力させるように制御する出力制御手段とを備えるものである。
【００１０】
また、請求項２の発明は、請求項１に記載の映像出力装置において、ユーザによって操作され、前記映像出力手段から出力される前記レッドグリーンテストの映像の色を調整するための色調整操作手段をさらに備えるものである。
【００１１】
また、請求項３の発明は、請求項１又は２に記載の映像出力装置において、前記映像出力手段によって出力された映像のユーザによる視聴時間を算出する算出手段をさらに備え、前記出力制御手段は、前記算出手段によって算出された視聴時間が所定の時間を超えたときに、前記レッドグリーンテストの映像、前記視野チェックの映像、又は前記乱視表の映像を、前記映像出力手段に出力させるように制御するものである。
【００１２】
また、請求項４の発明は、請求項１乃至３の少なくともいずれか一項に記載の映像出力装置において、前記映像出力手段によって出力された映像を視聴しているユーザの位置を検出する位置検出手段をさらに備え、前記出力制御手段は、前記位置検出手段によって検出されたユーザの位置が、前回検出したユーザの位置と異なる場合に、前記レッドグリーンテストの映像、前記視野チェックの映像、又は前記乱視表の映像を、前記映像出力手段に出力させるように制御するものである。
【００１３】
また、請求項５の発明は、請求項１乃至４の少なくともいずれか一項に記載の映像出力装置において、前記映像出力手段によって出力された映像を視聴しているユーザと、該映像出力手段によって出力された映像を表示する映像表示機器との距離を検出する距離検出手段をさらに備え、前記出力制御手段は、前記距離検出手段によって検出された距離に応じた大きさの前記レッドグリーンテストの映像、前記視野チェックの映像、又は前記乱視表の映像を、前記映像出力手段に出力させるように制御するものである。
【発明の効果】
【００１４】
本発明によれば、ユーザの視聴状態が正視状態であるか否かを確認するためのレッドグリーンテストの映像、視野チェックの映像、又は乱視表の映像を表示させることができる。そのため、ユーザは、このレッドグリーンテストの映像、視野チェックの映像、又は乱視表の映像を視聴することにより、自身の視聴状態が正視状態であるか否かを容易に確認することができる。これにより、ユーザは、視聴状態が正視状態でない場合に、眼鏡やコンタクトを使用して正視状態にすることができるため、眼精疲労からくる肩こりや頭痛などを事前に防ぐことができると共に、視力の低下を抑制できる。
【図面の簡単な説明】
【００１５】
【図１】本発明の第１の実施形態に係るＴＶ受像機とリモコン装置の斜視図。
【図２】上記ＴＶ受像機の内部構成を示すブロック図。
【図３】上記ＴＶ受像機に表示されるレッドグリーンテスト画面を示す説明図。
【図４】上記ＴＶ受像機に表示される視野チェック画面を示す説明図。
【図５】上記ＴＶ受像機に表示される乱視表画面を示す説明図。
【図６】上記ＴＶ受像機におけるＴＶ番組の視聴処理の手順を示すフローチャート。
【図７】本発明の第２の実施形態に係るＴＶ受像機の内部構成を示すブロック図。
【図８】上記ＴＶ受像機におけるＴＶ番組の視聴処理の手順を示すフローチャート。
【図９】上記ＴＶ受像機におけるレッドグリーンテスト画面の表示処理の手順を示すフローチャート。
【発明を実施するための形態】
【００１６】
以下、本発明の第１の実施形態に係るテレビジョン受像機について、図１及び図２を参照して説明する。図１は、テレビジョン（以下、ＴＶ）受像機（映像出力装置）１と、このＴＶ受像機１を操作するためのリモコン装置（色調整操作手段）４との外観を示し、図２は、ＴＶ受像機１の電気的ブロック構成を示す。
【００１７】
ＴＶ受像機１は、図２に示すように、アンテナ１１に接続され、デジタル放送信号を受信するチューナ部１２と、デコーダ部１３と、映像を表示する液晶表示装置（映像表示機器）１４と、音声を出力するスピーカ１５とを備える。また、ＴＶ受像機１は、リモコン信号受信部１６と、メモリ１７と、制御用マイコン（出力制御手段）１０とをさらに備える。
【００１８】
リモコン装置４は、ユーザによって操作される複数の操作ボタンを有し、ユーザによって操作された操作ボタンに応じたリモコン信号をＴＶ受像機１に送信するものである。リモコン装置４の操作ボタンは、チャンネルの選局ボタンや、液晶表示装置１４に表示されるカーソルを移動させるための十字ボタンや、各種設定を決定するための決定ボタン等である。ユーザは、リモコン装置４を操作することにより、チャンネルの選局や、液晶表示装置１４に表示される映像の色の濃度や輝度等の調整を含む各種の指示操作を行うことができる。
【００１９】
チューナ部１２は、アンテナ１１を介して、放送局から配信される各チャンネルのデジタル放送信号を受信する。デコーダ部１３は、チューナ部１２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２０】
映像デコード回路は、映像信号を含むＴＳパケットに対して復号化処理を行い、映像信号を抽出し、抽出した映像信号を制御用マイコン１０に出力する。音声デコード回路は、音声信号を含むＴＳパケットに対して復号化処理を行い、音声信号を抽出し、抽出した音声信号を制御用マイコン１０に出力する。
【００２１】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータを制御用マイコン１０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。
【００２２】
液晶表示装置１４は、液晶表示パネル２１と、駆動回路２２とを有する。駆動回路２２は、映像信号処理回路１０ａから受信した映像信号に基づいて、液晶表示パネル２１を駆動するための駆動電圧を生成して、生成した駆動電圧を液晶表示パネル２１に印加する。液晶表示パネル２１は、駆動回路２２から出力された駆動電圧に基づき、映像を表示する。
【００２３】
スピーカ１５は、音声信号処理回路１０ｂから受信した増幅後の音声信号を音声に変換して出力する。
【００２４】
リモコン信号受信部１６は、リモコン装置４から受信したリモコン信号である赤外線信号を電気信号に変換して制御用マイコン１０に転送する。リモコン装置４から送信されるリモコン信号は、ユーザによって操作された操作ボタンに対応するリモコン信号である。
【００２５】
メモリ１７は、制御用マイコン１０を動作させるためのプログラム１７ａ、表示設定情報１７ｂ、レッドグリーンテスト映像データ１７ｃと、視野チェック映像データ１７ｄと、乱視表映像データ１７ｅ等を記憶している。
【００２６】
表示設定情報１７ｂには、液晶表示装置１４に表示する映像の色の濃度、色合い、明るさ、コントラスト、ガンマ補正、及び色温度等の設定値が格納されている。ユーザはリモコン装置４を操作することにより、これらの値を任意に変更できる。レッドグリーンテスト映像データ１７ｃは、液晶表示装置１４にレッドグリーンテスト画面を表示させるための映像データである。レッドグリーンテスト画面は、ユーザが正視状態であるか否かを確認するための映像である。より詳細には、レッドグリーンテスト画面は、近視や、遠視や、目の調節機能を調べることができる一般的な画面である。視野チェック映像データ１７ｄは、液晶表示装置１４に視野チェック画面を表示させるための映像データである。乱視表映像データ１７ｅは、液晶表示装置１４に乱視表画面を表示させるための映像データである。視野チェック画面及び乱視表画面も、レッドグリーンテスト画面と同様に、ユーザが正視状態であるか否かを確認するための映像である。
【００２７】
制御用マイコン１０は、映像信号処理回路（映像出力手段）１０ａと、音声信号処理回路１０ｂと、表示設定部１０ｃと、視聴時間算出部（算出手段）１０ｄとを有し、ＴＶ受像機１の各部を制御する。
【００２８】
映像信号処理回路１０ａは、デコーダ部１３から入力された映像信号に対して、表示設定情報１７ｂの情報に基づき、各種の信号処理を施して映像信号を生成し、生成した映像信号を、液晶表示装置１４の駆動回路２２に出力する。
【００２９】
音声信号処理回路１０ｂは、デコーダ部１３から入力された音声信号に対して、ユーザによって設定された音量に基づく増幅を行ってスピーカ１５に出力する。
【００３０】
表示設定部１０ｃは、ユーザによって設定された色の濃度や輝度等の表示設定の情報を表示設定情報１７ｂに格納する。視聴時間算出部１０ｄは、ユーザによるＴＶ番組の視聴時間を算出する。
【００３１】
次に、液晶表示装置１４に表示されるレッドグリーンテスト画面について、図３を参照して説明する。ユーザによってリモコン装置４が操作され、レッドグリーンテスト画面の表示が指示されると、制御用マイコン１０は、レッドグリーンテスト映像データ１７ｃを読み出して、映像信号処理回路１０ａを用いて、液晶表示装置１４にレッドグリーンテスト画面の映像を表示させる。図３は、液晶表示装置１４に表示されるレッドグリーンテスト画面Ａである。
【００３２】
図３に示すように、レッドグリーンテスト画面Ａは、背景が赤色に表示されたレッド画面Ｒと、背景が緑色に表示されたグリーン画面Ｇとを含む画面である。レッドグリーンテスト画面Ａの赤色（画面Ｒ）の濃さと、緑色（画面Ｇ）の濃さとが同じに見える場合、ユーザの視聴状態は、目に負担のかからない状態（以下、正視状態という）である。一方、レッドグリーンテスト画面Ａの赤色の濃さと緑色の濃さとが同じに見えない場合（正視状態ではない場合）、ユーザは、眼鏡やコンタクトを着用したり、視聴位置を移動したりすることによって、レッドグリーンテスト画面Ａの赤色の濃さと緑色の濃さとが同じに見えるようにする。すなわち、ユーザは、視聴状態を正視状態にする。
【００３３】
また、ユーザは、図３に示すレッドグリーンテスト画面Ａを表示しているときに、リモコン装置４を操作することにより、色の濃度や輝度を変化させるように操作できる。例えば、赤色が濃く見える場合、ユーザは、リモコン装置４を操作して、赤色の濃さを低下させるように調整を行った後（すなわち、赤色と緑色の濃さが同じに見えるように調整を行った後）、決定ボタンを押下する。このとき、制御用マイコン１０は、表示設定部１０ｃを用いて、ユーザによって調整された色の濃さや輝度の設定情報を表示設定情報１７ｂに格納する。
【００３４】
次に、液晶表示装置１４に表示される視野チェック画面、及び乱視表画面について、図４及び図５を参照して説明する。ユーザによってリモコン装置４が操作され、視野チェック画面の表示が指示されると、制御用マイコン１０は、視野チェック映像データ１７ｄを読み出して、映像信号処理回路１０ａを用いて、液晶表示装置１４に視野チェック画面の映像を表示させる。図４は、液晶表示装置１４に表示される視野チェック画面Ｂである。ユーザは、この視野チェック画面Ｂの見え方に基づいて、眼鏡やコンタクトを着用したり、視聴位置を移動したりすることによって、視聴状態を正視状態にする。
【００３５】
また、ユーザによってリモコン装置４が操作され、乱視表画面の表示が指示されると、制御用マイコン１０は、乱視表映像データ１７ｅを読み出して、映像信号処理回路１０ａを用いて、液晶表示装置１４に乱視表画面の映像を表示させる。図５は、液晶表示装置１４に表示される乱視表画面Ｃである。乱視表画面Ｃの放射状に伸びる各線はそれぞれ太さ及び濃度が同じである。しかしながら、乱視がある場合、線の濃淡や太さにばらつきが見られる。ユーザは、この乱視表画面Ｃの見え方に基づいて、眼鏡やコンタクトを着用したり、視聴位置を移動したりすることによって、視聴状態を正視状態にする。
【００３６】
次に、ＴＶ受像機１におけるＴＶ番組の視聴動作について、図６に示すフローチャートを参照して説明する。
【００３７】
まず、ユーザがリモコン装置４を操作することによってＴＶ番組の視聴が開始されると（Ｓ１）、制御用マイコン１０は、視聴時間算出部１０ｄを用いて、ユーザによるＴＶ番組の視聴時間を算出する（Ｓ２）。その結果、視聴時間が所定の時間以上になったとき（Ｓ３でＹＥＳ）、制御用マイコン１０は、レッドグリーンテスト画面を液晶表示装置１４に表示させる（Ｓ４）。
【００３８】
そして、ユーザがレッドグリーンテスト画面を確認することにより、現在の視聴状態を正視状態に調整した後、リモコン装置４の決定ボタンを操作すると（Ｓ５）、制御用マイコン１０は、レッドグリーンテスト画面を非表示にして、上記Ｓ１でユーザが視聴していたＴＶ番組を表示させ、視聴を再開させる（Ｓ６）。上記Ｓ５の調整は、例えば、ユーザが眼鏡を掛けることによる視聴状態の調整であってもよいし、リモコン装置４を操作することにより赤色や緑色の濃度や輝度を調整するものでもよい。なお、本処理では、視聴時間が所定の時間以上になったときに（上記Ｓ３でＹＥＳ）、制御用マイコン１０が、レッドグリーンテスト画面を液晶表示装置１４に表示させる例を示したが、視野チェック画面や乱視表画面を液晶表示装置１４に表示させてもよい。
【００３９】
上述したように、本ＴＶ受像機１によれば、ユーザの視聴状態が正視状態であるか否かを確認するためのレッドグリーンテスト画面、視野チェック画面、又は乱視表画面を液晶表示装置１４に表示させることができる。そのため、ユーザは、レッドグリーンテスト画面、視野チェック画面、又は乱視表画面を視聴することにより、自身の視聴状態が正視状態であるか否かを容易に確認することができる。これにより、ユーザは、視聴状態が正視状態でない場合に、眼鏡やコンタクトを使用して正視状態にすることができるため、眼精疲労からくる肩こりや頭痛などを事前に防ぐことができと共に、視力の低下を抑制できる。
【００４０】
また、ＴＶの視聴開始時に正視状態であったとしても時間の経過により、その視聴状態が正視状態ではなくなることがある。本ＴＶ受像機１によれば、ＴＶ番組の視聴時間が所定時間以上経過したときに、レッドグリーンテスト画面、視野チェック画面、又は乱視表画面を液晶表示装置１４に表示させる。そのため、ユーザは、ＴＶ番組の視聴開始後に、自身の視聴状態が正視状態であるか否かを容易に確認することができるため、長時間の視聴による目の負担を抑制することができる。
【００４１】
また、本ＴＶ受像機１によれば、レッドグリーンテスト画面を表示しているとき、ユーザがリモコン装置４を操作することによって、色の濃度や、色調や、輝度等の調整を行うことができる。そのため、ユーザは、色の調整を容易に行うことができる。
【００４２】
また、本ＴＶ受像機１によれば、レッドグリーンテスト画面、視野チェック画面、又は乱視表画面を表示できるため、裸眼のユーザにとっては、レッドグリーンテスト画面、視野チェック画面、又は乱視表画面を確認することにより、コンタクトや眼鏡を導入するきっかけになる。また、既に矯正した状態で視聴しているユーザにとっては、所持している眼鏡やコンタクトを用いて正視状態にすることが可能か否かを容易に判断できる。また、近視のユーザが眼鏡やコンタクトを使用している場合、レッドグリーンテスト画面を確認することにより、赤色が強ければ低矯正であり、一方、緑色が強ければ過矯正であると容易に確認できる。また、遠視のユーザが眼鏡やコンタクトを使用している場合は、レッドグリーンテスト画面を確認することにより、赤色が強ければ過矯正であり、緑色が強ければ低矯正であると容易に確認できる。
【００４３】
次に、本発明の第２の実施形態に係るＴＶ受像機について、図７を参照して説明する。本実施形態に係るＴＶ受像機は、人感センサ（位置検出手段、距離検出手段）１８をさらに備えること以外は、第１の実施形態に係るＴＶ受像機１と同様の構成である。本実施形態に係るＴＶ受像機１では、第１の実施形態と同じ構成を同じ符号で示し、その説明を省略する。
【００４４】
人感センサ１８は、検出範囲内の人の位置を検出するセンサである。人感センサ１８が、その検出範囲内のユーザを検出したときに、検出した位置を知らせる旨の信号を制御用マイコン１０に出力する。また、人感センサ１８は、ＴＶ受像機１からユーザまでの距離を検出する機能も搭載している。
【００４５】
次に、ＴＶ受像機１におけるＴＶ番組の視聴動作について、図８に示すフローチャートを参照して説明する。
【００４６】
まず、ユーザがリモコン装置４を操作することによってＴＶ番組の視聴が開始されると（Ｓ１１）、制御用マイコン１０は、人感センサ１８によって検出されたユーザの視聴位置が前回と異なるか否かを判断する（Ｓ１２）。この結果、前回の視聴位置と異なる場合（Ｓ１３でＹＥＳ）、制御用マイコン１０は、レッドグリーンテスト画面を液晶表示装置１４に表示させる（Ｓ１４）。
【００４７】
そして、ユーザがレッドグリーンテスト画面を確認することにより、現在の視聴状態を正視状態に調整した後、リモコン装置４の決定ボタンを操作すると（Ｓ１５）、制御用マイコン１０は、レッドグリーンテスト画面を非表示にして、上記Ｓ１１でユーザが視聴していたＴＶ番組を表示させ、視聴を再開させる（Ｓ１６）。上記Ｓ１５の調整は、例えば、ユーザが眼鏡を掛けることによる視聴状態の調整であってもよいし、リモコン装置４を操作することにより赤色や緑色の濃度や輝度を調整するものでもよい。なお、本処理では、ユーザの視聴位置が前回の視聴位置と異なる場合（上記Ｓ１３でＹＥＳ）、制御用マイコン１０が、レッドグリーンテスト画面を液晶表示装置１４に表示させる例を示したが、視野チェック画面や乱視表画面を液晶表示装置１４に表示させてもよい。
【００４８】
次に、本実施形態において、ユーザがレッドグリーンテスト画面の表示を指示した場合のＴＶ受像機１における表示処理の手順について、図９に示すフローチャートを参照して説明する。
【００４９】
ユーザがリモコン装置４を操作することによって、レッドグリーンテスト画面の表示を指示すると（Ｓ２１）、制御用マイコン１０は、人感センサ１８を用いて、ユーザの視聴位置までの距離を検出する（Ｓ２２）。
【００５０】
そして、制御用マイコン１０は、映像信号処理回路１０ａを制御して、人感センサ１８によって検出された距離に応じた大きさのレッドグリーンテスト画面の映像を、液晶表示装置１４に出力させる。すなわち、制御用マイコン１０は、ＴＶ受像機１からユーザまでの距離が近い場合、レッドグリーンテスト画面を小さく表示させ、ＴＶ受像機１からユーザまでの距離が遠い場合、レッドグリーンテスト画面を大きく表示させる。なお、例えば、上記図８に示した処理のように、制御用マイコン１０が自動的にレッドグリーンテスト画面を表示させる場合であっても、人感センサ１８によって検出された距離に応じた大きさのレッドグリーンテスト画面の映像を表示させてもよい。また、本処理では、ユーザがレッドグリーンテスト画面の表示を指示した場合の例を示したが、ユーザが視野チェック画面や乱視表画面の表示を指示した場合に、人感センサ１８によって検出された距離に応じた大きさの視野チェック画面や乱視表画面の映像を、液晶表示装置１４に出力させてもよい。
【００５１】
このように、本ＴＶ受像機１によれば、ユーザの視聴位置が前回と異なる場合に、レッドグリーンテスト画面、視野チェック画面、又は乱視表画面を表示させるので、ユーザは、現在の視聴位置での視聴状態が正視状態であるか否かを容易に確認することができる。従って、例えば、ユーザの視聴位置が前回よりもＴＶ受像機１に近づいた場合に、レッドグリーンテスト画面、視野チェック画面、又は乱視表画面を確認して、眼鏡を外して視聴した方が目に負担がかからないか否かが容易に判断できる。
【００５２】
また、本ＴＶ受像機１によれば、ＴＶ受像機１からユーザまでの距離に応じた大きさのレッドグリーンテスト画面、視野チェック画面、又は乱視表画面を表示することができる。そのため、ユーザがＴＶ受像機１から遠い場所にいる場合、レッドグリーンテスト画面、視野チェック画面、又は乱視表画面が大きく表示されるので、ユーザは、レッドグリーンテスト画面、視野チェック画面、又は乱視表画面を確認しやすくなる。
【００５３】
なお、本発明は、上記各実施形態の構成に限られず、発明の趣旨を変更しない範囲で種々の変形が可能である。例えば、上記各実施形態において、請求項に示す映像出力装置がＴＶ受像機である例を示したが、これに限られず、正視状態確認用の映像を出力可能な映像出力装置であればよい。例えば、請求項に示す映像出力装置が、正視状態確認用の映像を出力可能なＢＤプレーヤ等の映像出力装置であり、この映像出力装置が、映像を表示するモニタ装置等の映像表示機器に正視状態確認用の映像を出力させる構成であってもよい。
【符号の説明】
【００５４】
１  ＴＶ受像機（映像出力装置）
４  リモコン装置（色調整操作手段）
１０  制御用マイコン（出力制御手段）
１０ａ  映像信号処理回路（映像出力手段）
１０ｄ  視聴時間算出部（算出手段）
１４  液晶表示装置（映像表示機器）
１８  人感センサ（位置検出手段、距離検出手段）
Ａ  レッドグリーンテスト画面（レッドグリーンテストの映像）
Ｂ  視野チェック画面（視野チェックの映像）
Ｃ  乱視表画面（乱視表の映像）
【図１】
2013247527.tif 000003
【図２】
2013247527.tif 000004
【図３】
2013247527.tif 000005
【図４】
2013247527.tif 000006
【図５】
2013247527.tif 000007
【図６】
2013247527.tif 000008
【図７】
2013247527.tif 000009
【図８】
2013247527.tif 000010
【図９】
2013247527.tif 000011